(57)【要約】【課題】予約操作後に放送時間帯が変更になったとしても、所望の番組の全部を記録することが可能な番組記録装置および番組記録方式を提供する。【解決手段】アナログ放送の番組が予約されると、番組自動対応付け装置１０２が、その番組とサイマルキャストされる番組をデジタル放送から検出する。番組放送時間変更検出装置１０５は、デジタル放送に含まれる番組時間情報に基づいて、サイマルキャストされる番組の放送時間帯が変更されたか否かを検出する。放送時間帯が変更されたことを検出すると、番組時間情報に基づいて、アナログ放送の番組予約の時間帯を変更する。【選択図】図１
2006203726.tif 000002
【特許請求の範囲】
【請求項１】
所望の番組を受信して記録する番組記録装置において、
少なくとも放送時間帯と放送チャンネルにより所望の番組の予約を設定する予約設定手段と、
放送時間情報を含む番組情報データが付加情報として含まれない第１の放送における番組について前記予約設定手段により第１の番組を予約した後に、前記番組情報データが付加情報として含まれる第２の放送において前記第１の番組に対して同時放送される第２の番組を対応付ける予約管理手段と、
前記第２の放送の番組情報データに含まれる放送時間情報の変更を検出する放送時間情報変更検出手段とを備え、
前記放送時間情報変更検出手段が、前記第２の番組の放送時間情報の変更を検出した際に、前記予約管理手段が前記第１の番組の予約の時間帯を前記放送時間情報の変更に基づいて変更することを特徴とする番組記録装置。
【請求項２】
予約管理手段における第１の番組と第２の番組の対応付けにおいて、第２の番組は予約設定の際に予約の開始時刻よりも遅い終了時刻かつ予約の終了時刻よりも早い開始時刻を示す放送時間情報を付加された番組であることを特徴とする請求項１記載の番組記録装置。
【請求項３】
予約管理手段における第１の番組と第２の番組の対応付けは、ユーザ操作によらずに行われることを特徴とする請求項２記載の番組記録装置。
【請求項４】
予約管理手段における第１の番組と第２の番組の対応付けは、第１の番組に付加された番組名と第２の番組に付加された番組名が一定の割合以上で一致することにより行われることを特徴とする請求項３記載の番組記録装置。
【請求項５】
予約管理手段における第１の番組と第２の番組の対応付けは、第１の番組に付加された番組内容と第２の番組に付加された番組内容が一定の割合以上で一致することにより行われることを特徴とする請求項３記載の番組記録装置。
【請求項６】
予約管理手段における第１の番組と第２の番組の対応付けは、第１の番組に付加された出演者情報と第２の番組に付加された出演者情報が一定の割合以上で一致することにより行われることを特徴とする請求項３記載の番組記録装置。
【請求項７】
予約管理手段における第１の番組と第２の番組の対応付けは、第１の番組に付加されたキーワード情報と第２の番組に付加されたキーワード情報が一定の割合以上で一致することにより行われることを特徴とする請求項３記載の番組記録装置。
【請求項８】
予約管理手段における第１の番組と第２の番組の対応付けは、第２の放送に付加される情報より得られる放送時間が前記予約の時間帯に重ならない長さが短いことにより行われることを特徴とする請求項３記載の番組記録装置。
【請求項９】
予約管理手段における第１の番組と第２の番組の対応付けは、第２の放送に付加される情報より得られる放送時間が前記予約の時間帯に重なる長さが長いことにより行われることを特徴とする請求項３記載の番組記録装置。
【請求項１０】
予約管理手段における第１の番組と第２の番組の対応付けは、第２の放送に付加される情報より得られる放送開始時刻が予約の開始時刻に近いことにより行われることを特徴とする請求項３記載の番組記録装置。
【請求項１１】
予約管理手段における第１の番組と第２の番組の対応付けは、第２の放送に付加される情報より得られる放送終了時刻が予約の終了時刻に近いことにより行われることを特徴とする請求項３記載の番組記録装置。
【請求項１２】
予約管理手段における第１の番組と第２の番組の対応付けは、ユーザ操作により行われることを特徴とする請求項２記載の番組記録装置。
【請求項１３】
所望の番組を受信して記録する番組記録方法において、
少なくとも放送時間帯と放送チャンネルにより所望の番組の予約を設定し、
放送時間情報を含む番組情報データが付加情報として含まれない第１の放送における番組について前記予約設定手段により第１の番組を予約した後に、前記番組情報データが付加情報として含まれる第２の放送において前記第１の番組に対して同時放送される第２の番組の対応付けを行い、
前記第２の放送の番組情報データに含まれる放送時間情報の変更を検出し、
前記第２の番組の放送時間情報の変更を検出すると、前記第１の番組の予約の時間帯を前記放送時間情報の変更に基づいて変更する番組記録方法。
【請求項１４】
予約管理手段における予約設定の際に、予約の開始時刻よりも遅い終了時刻かつ予約の終了時刻よりも早い開始時刻を示す前記放送時間情報を持つ第２の番組を第１の番組と対応付けることを特徴とする請求項１３記載の番組記録方法。
【請求項１５】
予約管理手段における第１の番組と第２の番組の対応付けは、ユーザ操作によらずに行われることを特徴とする請求項１４記載の番組記録方法。
【請求項１６】
予約管理手段における第１の番組と第２の番組の対応付けは、第１の番組に付加された番組名と第２の番組に付加された番組名が一定の割合以上で一致することにより行われることを特徴とする請求項１５記載の番組記録方法。
【請求項１７】
予約管理手段における第１の番組と第２の番組の対応付けは、第１の番組に付加された番組内容と第２の番組に付加された番組内容が一定の割合以上で一致することにより行われることを特徴とする請求項１５記載の番組記録方法。
【請求項１８】
予約管理手段における第１の番組と第２の番組の対応付けは、第１の番組に付加された出演者情報と第２の番組に付加された出演者情報が一定の割合以上で一致することにより行われることを特徴とする請求項１５記載の番組記録方法。
【請求項１９】
予約管理手段における第１の番組と第２の番組の対応付けは、第１の番組に付加されたキーワード情報と第２の番組に付加されたキーワード情報が一定の割合以上で一致することにより行われることを特徴とする請求項１５記載の番組記録方法。
【請求項２０】
予約管理手段における第１の番組と第２の番組の対応付けは、第２の放送に付加される情報より得られる放送時間が前記予約の時間帯に重ならない長さが短いことにより行われることを特徴とする請求項１５記載の番組記録方法。
【請求項２１】
予約管理手段における第１の番組と第２の番組の対応付けは、第２の放送に付加される情報より得られる放送時間が前記予約の時間帯に重なる長さが長いことにより行われることを特徴とする請求項１５記載の番組記録方法。
【請求項２２】
予約管理手段における第１の番組と第２の番組の対応付けは、第２の放送に付加される情報より得られる放送開始時刻が予約の開始時刻に近いことにより行われることを特徴とする請求項１５記載の番組記録方法。
【請求項２３】
予約管理手段における第１の番組と第２の番組の対応付けは、第２の放送に付加される情報より得られる放送終了時刻が予約の終了時刻に近いことにより行われることを特徴とする請求項１５記載の番組記録方法。
【請求項２４】
予約管理手段における第１の番組と第２の番組の対応付けは、ユーザ操作により行われることを特徴とする請求項１４記載の番組記録方法。
【発明の詳細な説明】
【技術分野】
【０００１】
本発明は、例えばハードディスクを内蔵して放送番組を記録する装置に使用して好適な番組を記録する番組記録装置及び番組記録方法に関するものである。
【背景技術】
【０００２】
例えばハードディスクを内蔵して放送番組の記録を行う装置において、電子番組情報を取得し、取得された電子番組表をユーザに提示し、前記ユーザ操作により所望の番組の予約を行い、所望の放送チャンネルと時間帯に放送を受信し、記録することが行われている。ところが、放送局は前記電子番組表の予定通りに放送を行わず、スポーツ番組の延長や、災害速報などの番組追加により、放送される時間帯が変更され、前記予約された時間帯に受信、記録を行うと、所望する番組の一部または全部が記録されないという問題があった。
【０００３】
従来の番組記録装置で、電子番組表（ＥＰＧ：Ｅｌｅｃｔｒｏｎｉｃ  Ｐｒｏｇｒａｍ  Ｇｕｉｄｅ）を参照し、番組内容について記述する文字情報から「延長」や「時間」といった文字を検索し、地上アナログ放送における番組延長の判断を予約操作時に行う装置が知られている（例えば、特許文献１参照）。図１３は、前記特許文献１に記載された従来の番組記録装置を示すものである。
【０００４】
図１３において、ユーザ操作受付装置１０７より予約管理装置１０８に予約を行う際、番組放送時間変更予測装置１５２は、番組表管理装置１０３の取得した番組表から番組内容について記述する文字情報から「延長」や「時間」といった文字を検索して時間帯の変更の可能性と、変更量の予測をしていた。番組時間帯等の変更の可能性がある場合、予約管理装置１０８が保持している予約の時間帯を変更することで、記録・再生装置１０９において所望する番組の全部を記録可能とした。
【特許文献１】特開２００４−３３６６８３号公報
【発明の開示】
【発明が解決しようとする課題】
【０００５】
しかしながら、このような従来の構成では、電子番組表に含まれる文字情報を用いるため、「延長」や「時間」という単語が含まれず、変更される時刻が判断できないことがある。また、予約操作時に延長の判断を行う必要があるため、予約操作より後に時間帯が変更された場合には予約に反映することができず、所望する番組の一部または全部を記録できないという課題を有していた。
【０００６】
本発明は、このような従来の課題を解決するもので、放送時間の変更を確実に判断し、予約操作後に検出した放送時間により予約を変更し、所望の番組の全部を記録することが可能な番組記録装置および番組記録方式を提供することを目的とする。
【課題を解決するための手段】
【０００７】
前記従来の課題を解決するために、本発明の番組記録装置は、番組の予約を設定する手段と、ＡＲＩＢ（Association of Radio Industries and Businesses）規格ＳＴＤ−Ｂ１０によって定義されるＥＩＴ（Event Information Table）が含まれない第１の放送における番組についてＥＩＴが含まれる第２の放送における番組を対応付ける手段と、ＥＩＴに含まれる放送時間情報の変更を検出する手段と、前記予約の時間帯を変更する手段とを有する。
【０００８】
本構成によって、ユーザ操作により前記第１の放送における番組の予約が予約管理装置に行われた際に、この予約された番組についてサイマルキャストされる前記ＥＩＴが含まれる放送における番組と前記予約された番組とを対応付けることができる。前記ＥＩＴが含まれる放送における番組の時間帯が変更された場合、前記変更を検出する手段により変更を検出し、予約管理装置の予約を変更することができる。
【発明の効果】
【０００９】
本発明の番組記録装置によれば、放送時間の変更が確実に判断でき、しかもユーザによる予約操作後に時間帯が変更された場合でも予約の修正を自動的に行い、所望の番組の全部を記録することができる。
【発明を実施するための最良の形態】
【００１０】
以下、本発明を実施するための最良の形態について、図面を参照しながら説明する。
【００１１】
（実施の形態１）
図１は、本発明の実施の形態１における番組記録装置の構成図である。図１において図１３と同じ構成要素については同じ符号を用い、説明を省略する。
【００１２】
図１において、この実施形態に示される番組記録装置１０１には、番組自動対応付け装置１０２と、デジタル放送用チューナである地上デジタル放送チューナ１０６と、番組放送時間変更検出装置１０５を有している。番組自動対応付け装置１０２は、図２に示すような放送局の対応表を持っている。この対応表は、地上アナログ放送の放送局を特定するために番組表管理装置１０３において用いられる放送局ＩＤと、ＡＲＩＢ規格ＳＴＤ−Ｂ１０によって定義されるデジタル放送の放送局を特定するｎｅｔｗｏｒｋ＿ｉｄとＴＳ＿ｉｄの組の対応を記述したものである。前記放送局ＩＤと、前記ｎｅｔｗｏｒｋ＿ｉｄとＴＳ＿ｉｄの組は多くは１対１で対応するが、１つの前記放送局ＩＤに複数の前記ｎｅｔｗｏｒｋ＿ｉｄとＴＳ＿ｉｄの組が対応するものや、複数の前記放送局ＩＤに対して１つの前記ｎｅｔｗｏｒｋ＿ｉｄとＴＳ＿ｉｄの組が対応するものもある。
【００１３】
ＥＩＴが含まれない地上アナログ放送における番組の予約が行われる際、ＥＩＴが含まれる地上デジタル放送における番組を対応付ける手段である番組自動対応付け装置１０２が対応付けを行う。このフローチャートを図３に示す。初めに、ユーザは、ユーザの所望する番組を番組表管理装置１０３の提供する番組表を見ながら、前記ユーザ操作受け付け装置を介して選択し、地上アナログ放送の番組の予約を行う（Ｓ２０１）。ただし、番組表を利用せず、開始時刻、終了時刻、放送チャンネルを直接ユーザ操作により指定し、予約を行うこともできる。Ｓ２０１では、予約は予約管理装置１０８に登録される。ここで登録される情報は、開始時刻、終了時刻、放送チャンネルを含む。
【００１４】
Ｓ２０２では、デジタル放送の番組の放送時間が変更される場合に番組のＥＩＴを用いて予約の時間帯の変更を行わせない場合は、予約処理を終了する。行わせる場合はＳ２０３に進む。デジタル放送の情報を用いて変更を行わせるか否かについては、予約を行うより前にあらかじめ番組記録機にユーザが設定しておき、ここでその設定に応じてＳ２０２の処理を行う。Ｓ２０３では、前記放送局の対応表を用いて、予約する番組の放送局ＩＤに対応するデジタル放送のｎｅｔｗｏｒｋ＿ｉｄとＴＳ＿ｉｄの組を取得する。Ｓ２０４では、ｎｅｔｗｏｒｋ＿ｉｄとＴＳ＿ｉｄの組が１つも見つからない場合は予約処理を終了し、１つ以上見つかった場合は次のＳ２０５に進む。
【００１５】
Ｓ２０５では、Ｓ２０３にて取得したｎｅｔｗｏｒｋ＿ｉｄとＴＳ＿ｉｄの組の放送において、前記予約の開始時刻よりも遅い終了時刻かつ予約の終了時刻よりも早い開始時刻である番組のリストを、番組表管理装置１０３から取得する。このリストは、各番組について、ｎｅｔｗｏｒｋ＿ｉｄとＴＳ＿ｉｄとｓｅｒｖｉｃｅ＿ｉｄとｅｖｅｎｔ＿ｉｄと番組名などを含む付加情報と放送時間の情報が列挙されたものである。ここで、番組名はＡＲＩＢ規格ＳＴＤ−Ｂ１０によって定義される短形式イベント記述子（Short event descriptor）より取得する。放送時間は開始時刻と終了時刻より構成され、開始時刻は、ＡＲＩＢ規格ＳＴＤ−Ｂ１０によって定義されるｓｔａｒｔ＿ｔｉｍｅである。終了時刻は、前記ｓｔａｒｔ＿ｔｉｍｅとＡＲＩＢ規格ＳＴＤ−Ｂ１０によって定義される開始時刻からの継続時間を示すｄｕｒａｔｉｏｎより計算される。Ｓ２０５により番組が１つも取得できなかった場合は予約処理を終了する。Ｓ２０７では、取得した番組からサイマルキャスト番組を自動対応付けして、その番組情報を番組放送時間変更検出装置１０５で記憶する。Ｓ２０８では、サイマルキャスト番組のデジタル放送における番組について、Ｓ２０７で記憶した番組の放送時間を放送波のＥＩＴから取得し、前記番組放送時間変更検出装置で記憶する。
【００１６】
次に、前記Ｓ２０７の処理の詳細について説明する。Ｓ２０７におけるサイマルキャスト番組を選択するフローチャートを図４に示す。一連の処理により、前記予約された番組とサイマル放送される番組ではないと考えられる番組を、Ｓ２０５で取得したリストから削除していき、残った１番組を対応付けて前記番組放送時間変更検出装置１０５で記憶する。Ｓ２２１では、番組自動対応付け装置１０２は、予約管理装置１０８から予約された番組に関する番組名などの情報が取得できているかを確認し、できている場合はＳ２２２へ、それ以外の場合はＳ２２３に進む。Ｓ２２２では、番組に関する情報を用いてリストの番組についての選別を行い、Ｓ２２３へ進む。Ｓ２２３では、前記予約の開始時刻と終了時刻を用いてリストの番組についての選別を行う。次に、Ｓ２２４では、リストの番組を必ず１つにする処理を行う。Ｓ２２５では、リストに残った番組の、ｎｅｔｗｏｒｋ＿ｉｄとＴＳ＿ｉｄとｓｅｒｖｉｃｅ＿ｉｄとｅｖｅｎｔ＿ｉｄとを番組放送時間変更検出装置に記憶する。
【００１７】
次に、Ｓ２２２の詳細な処理について説明する。Ｓ２２２における番組情報による選別処理のフローチャートを図５に示す。Ｓ２３１では、番組名の情報について、前記予約された番組に関する番組名の文字の過半数と一致する番組名を持つリスト内の番組を探す。このような番組が見つかった場合、Ｓ２３２に進み、見つからない場合はＳ２３３に進む。Ｓ２３２では、前記番組名の文字の過半数が一致しない番組を、リストから削除する。Ｓ２３３では、番組内容の情報について、前記予約された番組に関する番組内容の文字の過半数と一致する番組名を持つリスト内の番組を探す。このような番組が見つかった場合、Ｓ２３４に進み、見つからない場合はＳ２３５に進む。Ｓ２３４では、前記番組内容の文字の過半数が一致しない番組を、リストから削除する。Ｓ２３５では、出演者情報について、前記予約された番組に関する出演者情報の過半数の出演者と一致する出演者情報を持つリスト内の番組を探す。このような番組が見つかった場合、Ｓ２３６に進み、見つからない場合はＳ２３７に進む。Ｓ２３６では、前記出演者情報の過半数が一致しない番組を、リストから削除する。Ｓ２３７では、キーワード情報について、前記予約された番組に関するキーワード情報の過半数のキーワードと一致するキーワード情報を持つリスト内の番組を探す。このような番組が見つかった場合、Ｓ２３８に進み、見つからない場合は終了する。Ｓ２３８では、前記キーワード情報の過半数が一致しない番組を、リストから削除する。
【００１８】
次に、Ｓ２２３の詳細な処理について説明する。Ｓ２２３における時間情報による選別処理のフローチャートを図６に示す。Ｓ２４１では、リストの番組の中で、放送時間が前記予約された番組の時間帯と重なる長さが最短の番組以外の番組を削除する。Ｓ２４２では、リストの番組の中で、放送時間が前記予約された番組の時間帯と重ならない長さが最長ではない番組を削除する。Ｓ２４３では、リストの番組の中で、放送開始時刻が前記予約された番組の開始時刻と最も近い番組以外を削除する。Ｓ２４４では、リストの番組の中で、放送終了時刻が前記予約された番組の終了時刻と最も近い番組以外を削除する。
【００１９】
次に、Ｓ２２４の詳細な処理について説明する。Ｓ２２４におけるリストの番組を１番組だけにするフローチャートを図７に示す。Ｓ２５１とＳ２５２とＳ２５３とＳ２５４では、リストの番組の中で、それぞれｎｅｔｗｏｒｋ＿ｉｄとＴＳ＿ｉｄとｓｅｒｖｉｃｅ＿ｉｄとｅｖｅｎｔ＿ｉｄが最も小さい番組以外を順に削除する。Ｓ２５４を終えた段階で、リストには必ずただ１つの番組だけが存在する状態になる。
【００２０】
Ｓ２０７の処理について、処理の例を示す。予約された番組は、番組名が「野球中継◇天気予報」で、開始時刻が１９：００、終了時刻が２１：３０とする。番組に関する番組名以外の情報は得られていないとする。また、Ｓ２０５で取得したリストの番組が、図８のようになっているとする。ｎｅｔｗｏｒｋ＿ｉｄとＴＳ＿ｉｄは全ての番組で同じとし、図では省略する。また、図９に予約番組とリストの番組のｓｅｒｖｉｃｅ＿ｉｄごとの時間的な番組の配置を示す。予約された番組とサイマル放送される番組はｅｖｅｎｔ＿ｉｄが１２と１３の番組である。Ｓ２２１では、番組名が取得できているため、Ｓ２２２、つまりＳ２３１に進む。Ｓ２３１では、番組名の文字の一致についてｅｖｅｎｔ＿ｉｄが１２と１３の番組が最大で４文字一致するが、予約の番組名の文字数の過半数である５文字以上の番組がないため、Ｓ２３３に進む。Ｓ２３３では、予約番組の番組内容について情報が取得できていないため、過半数が一致する番組はなく、Ｓ２３５に進む。Ｓ２３５では、予約番組の出演者情報について情報が取得できていないため、過半数が一致する番組はなく、Ｓ２３７に進む。Ｓ２３７では、予約番組のキーワードについて情報が取得できていないため、過半数が一致する番組はなく、Ｓ２２２の処理が終了する。
【００２１】
続いてＳ２２３、つまりＳ２４１に進む。Ｓ２４１では、予約番組の時間帯と重ならない放送時間の長さが、ｅｖｅｎｔ＿ｉｄが１２の番組は０分、ｅｖｅｎｔ＿ｉｄが１３の番組は０分、ｅｖｅｎｔ＿ｉｄが３５の番組は０分、ｅｖｅｎｔ＿ｉｄが３６の番組は０分、ｅｖｅｎｔ＿ｉｄが３７の番組は８４分であるため、０分が最も短い。よって、ｅｖｅｎｔ＿ｉｄが３７の番組がリストから削除される。次にＳ２４２では、予約番組の時間帯と重なる放送時間の長さが、ｅｖｅｎｔ＿ｉｄが１２の番組は１４４分、ｅｖｅｎｔ＿ｉｄが１３の番組は６分、ｅｖｅｎｔ＿ｉｄが３５の番組は６０分、ｅｖｅｎｔ＿ｉｄが３６の番組は６０分であり、１４４分が最も長い。よって、ｅｖｅｎｔ＿ｉｄが１３と３５と３６の番組が削除される。ここでリストにはｅｖｅｎｔ＿ｉｄが１２の番組だけが残り、以降、Ｓ２４３とＳ２４４では何も削除されずにＳ２２３の処理が終了する。また、Ｓ２２４においても、何も削除されない。Ｓ２２５では、ｅｖｅｎｔ＿ｉｄが１２の番組に関する情報を番組放送時間変更検出装置１０５に記憶し、Ｓ２０７の処理が終了する。
【００２２】
次に、番組放送時間変更検出装置１０５の処理について説明する。この処理は、前記予約開始時刻より１時間３０秒以上前から予約実行終了までの間で地上デジタルチューナ１０６を放送時間変更の確認のために使用できるときに行う。ＡＲＩＢ規格ＴＲ−Ｂ１４では、地上デジタル放送における繰上げの際は繰り上げ前の番組開始時刻の１時間３０秒前までにＥＩＴの時間情報を繰上げ後の時間情報に変更するべきと定義されており、１時間３０秒以上前から処理を行うのは、番組の繰上げが発生しても対応可能にするためである。他の予約が存在しない場合はこの期間中常に変更を監視するが、例えば前記予約が始まる前１時間の範囲全体に渡って地上デジタル放送番組の録画予約がされている場合は、地上デジタル放送番組の予約が開始されるより前に行っておく。処理の流れを示すフローチャートを図１０に示す。
【００２３】
Ｓ２６１では、前記Ｓ２２５で記憶したｎｅｔｗｏｒｋ＿ｉｄとＴＳ＿ｉｄとｓｅｒｖｉｃｅ＿ｉｄとｅｖｅｎｔ＿ｉｄの組により特定される番組の最新のｓｔａｒｔ＿ｔｉｍｅとｄｕｒａｔｉｏｎの情報を、放送波から取得し、これより開始時刻と終了時刻を計算する。Ｓ２６２では、Ｓ２６１で取得した開始時刻と終了時刻について前記Ｓ２０８もしくは後述するＳ２６４において前回記憶した情報と比較し、開始時刻と終了時刻の両方が前回と今回で同じ場合、もしくは、開始時刻が前回と同じでかつ今回Ｓ２６１で取得したｄｕｒａｔｉｏｎが未定の場合は処理を終了する。これ以外の場合はＳ２６３に進む。Ｓ２６３では、Ｓ２０１で登録された予約の変更を行う。開始時刻が変更されていた場合は、予約の開始時刻について、前回取得して記憶している開始時刻と今回取得した開始時刻の差と同じだけ変更する。また、終了時刻が変更されていた場合は、予約の終了時刻について、前回取得して記憶している終了時刻と今回取得した終了時刻の差と同じだけ変更する。ただし、ｄｕｒａｔｉｏｎが未定の場合は終了時刻による調整を行わない。Ｓ２６４では、Ｓ２６１で取得した放送時間を記憶する。ただし、Ｓ２６１で取得したｄｕｒａｔｉｏｎが未定の場合は開始時刻のみを記憶し、終了時刻は前回記憶時のままとする。
【００２４】
かかる構成によれば、ユーザの所望する地上アナログ放送の番組についてサイマルキャストされる地上デジタル放送における番組を自動で対応付けることができ、ＥＩＴに含まれる放送時間情報の変更を検出して、変更を検出した際に前記予約の時間帯を変更することができる。このため、変更される時刻が確実に判断でき、しかもユーザによる予約操作時の予定と異なる時間帯に変更された場合でも予約の修正を自動的に行い、所望の番組の全部を記録することができる。
【００２５】
なお、本実施の形態において、ＥＩＴが含まれない放送の受信のために地上アナログ放送チューナ１０４を設けたが、これ以外でもＥＩＴが含まれない放送の受信のための装置であればよい。ＥＩＴが含まれる放送の受信のために地上デジタル放送チューナ１０６を設けたが、これ以外でもＥＩＴが含まれる放送の受信のための装置であればよい。また、Ｓ２６３の予約の時間帯の変更方法について、例えばＳ２６１で取得した放送時間情報と同じ時間帯に予約を行うように修正する等してもよい。
【００２６】
（実施の形態２）
図１１は、本発明の実施の形態２における番組記録装置の構成図である。図１１において図１と同じ構成要素については同じ符号を用い、説明を省略する。
【００２７】
図１１において、この実施形態に示される番組記録装置１２１には、番組手動対応付け装置１２２を有している。この番組手動対応付け装置は、図２に示す放送局の対応表を持っている。
【００２８】
ＥＩＴが含まれない地上アナログ放送における番組について予約が行われる際、ＥＩＴが含まれる地上デジタル放送における番組を対応付ける手段である前記番組手動対応付け装置が対応付けを行う。このフローチャートを図１２に示す。図３と同じ構成要素については同じ符号を用い、説明を省略する。Ｓ２７１では、ユーザによる操作によってサイマルキャスト番組の対応付けを行い、このとき選択された番組の番組情報について、Ｓ２０８で記憶する。
【００２９】
かかる構成によれば、ユーザの所望する地上アナログ放送の番組についてサイマルキャストされる地上デジタル放送における番組をユーザ操作により対応付けることができ、ＥＩＴに含まれる放送時間情報の変更を検出して、変更を検出した際に前記予約の時間帯を変更することができる。このため、変更される時刻が確実に判断でき、しかもユーザによる予約操作時の予定と異なる時間帯に変更された場合でも予約の修正を自動的に行い、所望の番組の全部を記録することができる。
【００３０】
なお、本実施の形態において、ＥＩＴが含まれない放送の受信のために地上アナログ放送チューナ１０４を設けたが、これ以外でもＥＩＴが含まれない放送の受信のための装置であればよい。ＥＩＴが含まれる放送の受信のために地上デジタル放送チューナ１０６を設けたが、これ以外でもＥＩＴが含まれる放送の受信のための装置であればよい。
【産業上の利用可能性】
【００３１】
本発明にかかる番組記録装置及び番組記録方法は、変更される時刻が確実に判断でき、しかもユーザによる予約操作後に時間帯が変更された場合でも予約の修正を自動的に行い、所望の番組の全部を記録することが可能になるので、ハードディスクを内蔵して放送番組を記録する装置に使用して好適な番組を記録する番組記録装置及び番組記録方法等として有用である。
【図面の簡単な説明】
【００３２】
【図１】本発明の実施の形態１における番組記録機の構成図
【図２】本発明の実施の形態１におけるサイマルキャストの放送局の対応図
【図３】本発明の実施の形態１における予約登録時の番組の自動選択フローチャート
【図４】本発明の実施の形態１における自動対応付けフローチャート
【図５】本発明の実施の形態１における番組情報による選別のフローチャート
【図６】本発明の実施の形態１における放送時間による選別のフローチャート
【図７】本発明の実施の形態１におけるリストの番組を１番組だけにする処理のフローチャート
【図８】本発明の実施の形態１における番組リストの例の各番組の詳細内容を示す図
【図９】本発明の実施の形態１における番組リストの例のｓｅｒｖｉｃｅ＿ｉｄごとの配置を示す図
【図１０】本発明の実施の形態１における時間帯情報の検出と予約変更のフローチャート
【図１１】本発明の実施の形態２における番組記録機の構成図
【図１２】本発明の実施の形態２における対応付けフローチャート
【図１３】従来例の構成図
【符号の説明】
【００３３】
１０１    実施の形態１における番組記録装置
１０２    番組自動対応付け装置
１０３    番組表管理装置
１０４    地上アナログ放送チューナ
１０５    番組放送時間変更検出装置
１０６    地上デジタル放送チューナ
１０７    ユーザ操作受付装置
１０８    予約管理装置
１０９    記録・再生装置
１１０    映像・音声出力装置
１１１    アンテナ
１２１    実施の形態２における番組記録装置
１２２    番組手動対応付け装置
１５１    従来例における番組記録装置
１５２    番組放送時間変更予測装置
【図１】
2006203726.tif 000003
【図２】
2006203726.tif 000004
【図３】
2006203726.tif 000005
【図４】
2006203726.tif 000006
【図５】
2006203726.tif 000007
【図６】
2006203726.tif 000008
【図７】
2006203726.tif 000009
【図８】
2006203726.tif 000010
【図９】
2006203726.tif 000011
【図１０】
2006203726.tif 000012
【図１１】
2006203726.tif 000013
【図１２】
2006203726.tif 000014
【図１３】
2006203726.tif 000015